(57)【要約】【課題】波浪条件が厳しい場所でも移設した海草を水底地盤に活着させ易くする海草の移設方法を提供する。【解決手段】海草３が根付いた土壌塊２の底面２ａおよび側面２ｂがネット５で覆われるとともに、このネット５により土壌塊２の上面２ｃの少なくとも一部が覆われた状態のユニット１を移設先の水底地盤８上に載置し、次いで、棒状の固定具６を土壌塊２の上面２ｃを覆うネット５に挿通させるとともに、土壌塊２を上下に貫通させて水底地盤８にまで突き刺すことによりユニット１を移設先の水底地盤８に固定して移設する。【選択図】図３
2014076024.tif 000002
【特許請求の範囲】
【請求項１】
海草が根付いた土壌塊の底面および側面がネットで覆われるとともに、このネットにより土壌塊の上面の少なくとも一部が覆われたユニットを移設先の水底地盤上に載置した状態にして、棒状の固定具を前記土壌塊の上面を覆うネットに挿通させるとともに、土壌塊を上下に貫通させて水底地盤にまで突き刺して、このユニットを移設先の水底地盤に固定することを特徴とする海草の移設方法。
【請求項２】
前記棒状の固定具を前記土壌塊の少なくとも３箇所で、平面視でこの土壌塊の外側から内側に向かって斜めに貫通させる請求項１に記載の海草の移設方法。
【請求項３】
前記ユニットを、上面を開口した有底ケースの内部に収容しておき、このユニットを収容した有底ケースを移設先の水底地盤上に載置した後、この有底ケースの底板をスライドさせて取り除くことにより、ユニットを移設先の水底地盤上に載置する請求項１または２に記載の海草の移設方法。
【請求項４】
前記ユニットを、上面を開口した有底ケースの内部に収容しておき、このユニットを収容した有底ケースを移設先の水底地盤上に載置した後、この有底ケースの側板を開放し、この開放した部分からユニットを有底ケースの外部にスライドさせて移設先の水底地盤上に載置する請求項１または２に記載の海草の移設方法。
【請求項５】
移設先の水底地盤に形成した窪みに前記ネットを敷いておき、このネットの上に上下面開口した枠体を押し込み、この枠体に前記土壌塊を収容した後、枠体を撤去し、次いで、ネットを土壌塊の上面の少なくとも一部を覆うように折り返すことにより、ユニットを移設先の水底地盤上に載置する請求項１または２に記載の海草の移設方法。
【請求項６】
前記ネットまたは固定具の少なくとも一方が、生分解性の材質から形成されている請求項１〜５のいずれかに記載の海草の移設方法。
【発明の詳細な説明】
【技術分野】
【０００１】
本発明は、海草の移設方法に関し、さらに詳しくは、波浪条件の厳しい場所でも移設した海草を水底地盤に活着させ易くする海草の移設方法に関するものである。
【背景技術】
【０００２】
環境保護等の観点から、種々の海藻、海草類の保全が推進されている。その一環として、海藻、海草類を別の場所に移設することにより、移設先では海洋生物の餌場や育成場の形成、水質浄化、海底地盤の安定化が期待されている。海藻、海草類を別の場所に移設する方法としては、例えば、海藻類を根本部分の土壌とともに回収ボックスに回収し、この回収ボックスを移設先に移動させた後、回収ボックスを傾斜させて、海藻類を土壌と一緒に回収ボックスから排出させて、移設先の海底に配置する方法が提案されている（特許文献１参照）。しかしながら、この提案の方法では、土壌が傾斜状態で回収ボックスから排出されるので崩れて散乱し易く、また、排出される際には波動が直接、土壌にあたるので土壌が崩れ易いという問題があった。根本部分の土壌が崩れて土壌が少なくなった状態で移設された海藻は、移設先の土壌で安定せず、根付きが悪くなる。
【０００３】
そこで、回収ケースを海藻類が生息している海底の土壌に上方から圧入して、回収ケースの内部に海藻類を根本部分の土壌とともに収容し、その後、この回収ケースを移設先の海底の土壌に設置した後、底板をスライドさせることにより、海藻類を移設させる方法が提案されている（特許文献２参照）。この方法では、回収した根本部分の土壌を崩すことなく海藻類を移設させることが可能となる。しかしながら、波浪条件の厳しい移設先の場合は、海藻類が海底の土壌に十分に活着する前に根本部分の土壌が流出される危険性があった。
【先行技術文献】
【特許文献】
【０００４】
【特許文献１】特開２００１−２１８５３３号公報
【特許文献２】特開２００７−１４３４１９号公報
【発明の概要】
【発明が解決しようとする課題】
【０００５】
本発明の目的は、波浪条件の厳しい場所でも移設した海草を水底地盤に活着させ易くする海草の移設方法を提供することにある。
【課題を解決するための手段】
【０００６】
上記目的を達成するため本発明の海草の移設方法は、海草が根付いた土壌塊の底面および側面がネットで覆われるとともに、このネットにより土壌塊の上面の少なくとも一部が覆われたユニットを移設先の水底地盤上に載置した状態にして、棒状の固定具を前記土壌塊の上面を覆うネットに挿通させるとともに、土壌塊を上下に貫通させて水底地盤にまで突き刺して、このユニットを移設先の水底地盤に固定することを特徴とする。
【発明の効果】
【０００７】
本発明によれば、海草が根付いた土壌塊の底面および側面と上面の少なくとも一部がネットに覆われたユニットが、移設先の水底地盤上に載置されるので、波浪条件の厳しい移設先であっても、ネットにより覆われた土壌塊が流れから保護されて流出が防止される。また、棒状の固定具が土壌塊の上面を覆うネットを挿通して、土壌塊を上下に貫通して水底地盤にまで突き刺して、このユニットを水底地盤に固定するので、土壌塊が長期に渡って流されることなく、その間に海草の根が土壌塊の底面を覆うネットを挿通して、移設先の水底地盤に根付くことができる。これにより、海草を移設先の水底地盤に活着させ易くすることが可能になる。
【０００８】
例えば、前記棒状の固定具を前記土壌塊の少なくとも３箇所で、平面視でこの土壌塊の外側から内側に向かって斜めに貫通させる。これにより、ユニットを移設先の水底地盤に一段と強固に固定させ易くなる。
【０００９】
前記ユニットを、上面を開口した有底ケースの内部に収容しておき、このユニットを収容した有底ケースを移設先の水底地盤上に載置した後、この有底ケースの底板をスライドさせて取り除くことにより、ユニットを移設先の水底地盤上に載置することもできる。これにより、土壌塊を崩すことなく、容易にユニットを移設先の水底地盤上に載置し易くなる。
【００１０】
或いは、前記ユニットを、上面を開口した有底ケースの内部に収容しておき、このユニットを収容した有底ケースを移設先の水底地盤上に載置した後、この有底ケースの側板を開放し、この開放した部分からユニットを有底ケースの外部にスライドさせて移設先の水底地盤上に載置することもできる。または、移設先の水底地盤に形成した窪みに前記ネットを敷いておき、このネットの上に上下面開口した枠体を押し込み、この枠体に前記土壌塊を収容した後、枠体を撤去し、次いで、ネットを土壌塊の上面の少なくとも一部を覆うように折り返すことにより、ユニットを移設先の水底地盤上に載置することもできる。
【００１１】
前記ネットまたは固定具の少なくとも一方を、生分解性の材質から形成することもできる。これにより、生分解性の材質で形成したネットまたは固定具が移設先において、自然に分解されるので、移設先の環境保全の観点からはより好ましい。
【図面の簡単な説明】
【００１２】
【図１】ネットが敷かれた有底ケースに土壌塊を収容する工程を例示する説明図である。
【図２】有底ケースに収容された土壌塊の上面にネットを折り返して覆う工程を例示する説明図である。
【図３】移設先の水底地盤上に載置されたユニットに固定具を突き刺す工程を例示する説明図である。
【図４】図３の工程を平面視で例示する説明図である。
【図５】別の有底ケースを用いてユニットを移設先の水底地盤上に載置する工程を例示する説明図である。
【図６】移設先の水底地盤に形成した窪みにネットを敷いた状態を例示する説明図である。
【図７】図６のネットの上に押し込んだ上下面開口した枠体に土壌塊を収容する工程を例示する説明図である。
【図８】図７の枠体を撤去した後、ネットを折り返す工程を例示する説明図である。
【図９】移設先の水底地盤上に載置された図８のユニットに固定具を突き刺す工程を例示する説明図である。
【発明を実施するための形態】
【００１３】
以下、本発明の海草の移設方法を図に示した実施形態に基づいて説明する。本発明の移設対象は海草であり、例えば、例えば、アマモ、リュウキュウスガモ、ウミショウブ等の砂泥性の海草である。自然に生息している海草、或いは、繁殖施設で育成した海草を、根付いた土壌塊ごと移設先の海底地盤に移設する。
【００１４】
そこで、図１に例示するように、上面を開口した有底ケース４の内部にネット５を敷いておく。ネット５は有底ケース４から外側にまで広げた状態にしておく。この有底ケース４に海草３が根付いた土壌塊２を収容する。即ち、移設元の土壌塊２とともに海草３を有底ケース４に収容する。これにより、海草３が根付いた土壌塊２の底面２ａおよび側面２ｂの全面がネット５で覆われる。
【００１５】
次いで、図２に例示するように、有底ケース４の外側にまで広げておいたネット５の部分を、土壌塊２の上面に折り返す。これにより、土壌塊２の上面２ｃの少なくとも一部がネット５よって覆われる。そして、海草３が根付いた土壌塊２の底面２ａおよび側面２ｂと上面２ｃの少なくとも一部がネット５覆われた状態のユニット１を、有底ケース４に収容したまま移設元から移設先に搬送する。ユニット１の大きさは、例えば、幅および奥行きの一辺が２０ｃｍ〜５０ｃｍ程度、高さ１０ｃｍ〜２０ｃｍ程度の直方体である。
【００１６】
次いで、このユニット１を収容した有底ケース４を移設先の水底地盤８上に載置した後、この有底ケース４の底板４ａをスライドさせて取り除き、残りの側板４ｂを引き上げることにより、図３、図４に例示するように、ユニット１を水底地盤８上に載置する。或いは、図５に例示するように、有底ケース４の一辺の側板４ｂを開放し、側板４ｂを開放した部分からユニット１を有底ケース４の外部にスライドさせて移設先の水底地盤８上に載置する。
【００１７】
次いで、移設先の水底地盤８上に載置したユニット１に対して、棒状の固定具６を土壌塊２の上面２ｃを覆うネット５に挿通させるとともに、土壌塊２を上下に貫通させて、移設先の水底地盤８にまで突き刺す。これより、このユニット１を移設先の水底地盤８に固定して移設する。
【００１８】
水中での作業は主に潜水士によって行ない、移設先の水底地盤８には適宜の数のユニット１を固定する。固定具６は、海草３の根３ａに干渉しないように土壌塊２を貫通させる。固定具６は、真っ直ぐ下向きに貫通させてもよいが斜めに貫通させるとよい。水底地盤８には、固定具６の先端部を例えば５ｃｍ以上より好ましくは１０ｃｍ以上突き刺す。
【００１９】
本発明では、海草３が根付いた土壌塊２の底面２ａおよび側面２ｂと上面２ｃの少なくとも一部がネット５に覆われた状態のユニット１が、移設先の水底地盤８上に載置されるので、波浪条件の厳しい移設先であっても土壌塊２はネット５によって保護されて流出する危険性が低減し、海草３の根３ａが露出する等の不具合が生じ難くなる。また、棒状の固定具６が土壌塊２の上面２ｃを覆うネット５を挿通して、土壌塊２を上下に貫通して移設先の水底地盤８にまで突き刺されるので、ユニット１が水底地盤８に強固に固定される。土壌塊２の上面２ｃを覆うネット５が潮流によってめくれ上がることも防止される。
【００２０】
それ故、ユニット１（土壌塊２）は長期に渡って流されることなく一定位置に固定される。その間（例えば、２か月〜３カ月程度）に海草３の根３ａが、土壌塊２の底面２ａを覆うネット５を挿通して成長して、水底地盤８に根付くことができる。これにより、海草３を移設先の水底地盤８に活着させ易くすることが可能になる。
【００２１】
ネット５の網目は、海草３の活着（根付き）に支障がなく、かつ、土壌塊２の流出防止効果を有する大きさにする。例えば０．５ｃｍ〜３ｃｍ角程度の網目にする。土壌塊２の上面２ｃの全面をネット５により覆うこともできるが、この場合は、海草３の生育に悪影響が生じないように海草３が突出する部分は、ネット５の網目をある程度大きくする。
【００２２】
ネット５の材質としては、種々の合成樹脂を用いることもできるが、天然繊維や生分解性プラスチックなどの生分解性の材質を用いるよい。これにより、移設先ではネット５が自然に分解されるので、移設先の環境保全の観点からはより好ましい。
【００２３】
固定具６も種々の合成樹脂を用いることができるが、ネット５と同様の理由から、生分解性プラスチックなどの生分解性の材質を用いるよい。鉄や鋼等の金属製の固定具６も経年的に腐食して消失するので好ましい。固定具６の形状は実施形態に例示するようにＵ字形状の他、直線的な棒状にすることもできる。直線的な棒状の固定具６の場合は、上端部に拡径した頭部を設けて、土壌塊２の上面２ａを覆うネット５がめくれ上がり難くするとよい。
【００２４】
固定具６は、土壌塊２の少なくとも３箇所で、平面視で土壌塊２の外側から内側に向かって斜めに貫通させることが好ましい。これにより、ユニット１を移設先の水底地盤８に一段と強固に固定させ易くなる。より好ましくは、実施形態で例示するように平面視で土壌塊２の四隅に固定具６を貫通させる。
【００２５】
有底ケース４を用いることなく、海草３を移設先の水底地盤８に載置することもできるが、実施形態で例示したように有底ケース４を用いることにより、土壌塊２を崩すことなく、容易にユニット１を移設先の水底地盤８上に載置し易くなる。
【００２６】
移設先の水底地盤８を予め掘削して窪みを形成しておき、この窪みの中にユニット１を載置すると、ユニット１（土壌塊２）は、より長期に渡って流され難くなって一定位置に固定するには有利になる。その際に、窪みに肥料を敷いておき、この肥料の上にユニット１を載置すると海草３を一段と活着させ易くなる。
【００２７】
或いは、移設先の水底地盤８に洗掘防止部となる潜堤や消波ブロック等を配置して、洗掘防止部に囲まれた範囲にユニット１を載置する。この場合も、洗掘防止部に囲まれた範囲に肥料を敷いておき、その上にユニット１を載置するとよい。
【００２８】
窪みの中にユニット１を載置する場合は、図６に例示するように、移設先の水底地盤８に窪み８ａを形成しておき、この窪み８ａの内部にネット５を敷いておく。ネット５は窪み８ａから外側にまで広げた状態にしておく。
【００２９】
次いで、図７に例示するように、ネット５の上に上下面開口した枠体７を押し込んで、窪み８ａに嵌め込んだ状態にする。この枠体７に土壌塊２を充填するように収容する。この枠体７によって窪み８ａの壁面崩壊を防止でき、また、ネット５が流されることを防止できる。
【００３０】
次いで、図８に例示するように、枠体７を撤去した後、ネット５を土壌塊２の上面２ｃの少なくとも一部を覆うように折り返す。これにより、土壌塊２の底面２ａおよび側面２ｂがネット５で覆われるとともに、このネット５により土壌塊２の上面２ｃの少なくとも一部が覆われたユニット１が移設先の水底地盤８上に載置された状態になる。
【００３１】
次いで、図９に例示するように、このユニット１に対して、棒状の固定具６を土壌塊２の上面２ｃを覆うネット５に挿通させるとともに、土壌塊２を上下に貫通させて、移設先の水底地盤８にまで突き刺す。これより、このユニット１を移設先の水底地盤８に固定して移設する。
【符号の説明】
【００３２】
１  ユニット
２  土壌塊
２ａ  底面
２ｂ  側面
２ｃ  上面
３  海草
３ａ  根
４  有底ケース
４ａ  底板
４ｂ  側板
５  ネット
６  固定具
７  枠体
８  水底地盤
８ａ  窪み
【図１】
2014076024.tif 000003
【図２】
2014076024.tif 000004
【図３】
2014076024.tif 000005
【図４】
2014076024.tif 000006
【図５】
2014076024.tif 000007
【図６】
2014076024.tif 000008
【図７】
2014076024.tif 000009
【図８】
2014076024.tif 000010
【図９】
2014076024.tif 000011